(57)【要約】  抗菌効果をもたらす洗濯洗剤組成物の使用。洗濯洗剤組成物は、組成物の、少なくとも２．９重量％、好ましくは３．２重量％〜３０重量％、より好ましくは４．３重量％〜２０重量％の直鎖アルキルベンゼンスルホン酸塩（ＬＡＳ）を含み、この洗濯洗剤組成物が、洗濯洗浄液中で、６０ｐｐｍ超、好ましくは６７ｐｐｍ〜５００ｐｐｍ、より好ましくは８８ｐｐｍ〜３００ｐｐｍの遊離ＬＡＳモノマー濃度を送達することができる。【特許請求の範囲】
【請求項１】
抗菌効果をもたらす洗濯洗剤組成物の使用であって、前記洗濯洗剤組成物は、前記組成物の、少なくとも２．９重量％、好ましくは３．２重量％〜３０重量％、より好ましくは４．３重量％〜２０重量％の直鎖アルキルベンゼンスルホン酸塩（ＬＡＳ）を含み、前記洗濯洗剤組成物が、洗濯洗浄液中で、６０ｐｐｍ超、好ましくは６７ｐｐｍ〜５００ｐｐｍ、より好ましくは８８ｐｐｍ〜３００ｐｐｍの遊離ＬＡＳモノマー濃度を送達することができる、洗濯洗剤組成物の使用。
【請求項２】
前記抗菌効果が、ＱＢ／Ｔ  ２７３８−２００５法によって判定される、請求項１に記載の使用。
【請求項３】
前記洗濯洗剤組成物が、補助界面活性剤を実質的に含まない、請求項２に記載の使用。
【請求項４】
前記洗濯洗剤組成物が、前記組成物の、０．００１重量％〜２５．４重量％、好ましくは０．００１重量％〜１３．５重量％の非イオン性界面活性剤を更に含む、請求項２に記載の使用。
【請求項５】
前記洗濯洗剤組成物が、前記組成物の、０．００１重量％〜５３．６重量％、好ましくは０．００１重量％〜２５．５重量％の硫酸化脂肪酸アルコールエトキシレート（ＡＥＳ）を更に含む、請求項２に記載の使用。
【請求項６】
前記洗濯洗剤組成物が、抗菌剤を実質的に含まない、請求項２に記載の使用。
【請求項７】
前記洗濯洗剤組成物が、グラム陽性菌に対して前記抗菌効果をもたらす、請求項２に記載の使用。
【請求項８】
前記洗濯洗剤組成物が、ＱＢ／Ｔ  ２７３８−２００５法によって判定されるように、２０６９ｐｐｍ水溶液中で、黄色ブドウ球菌に対し、２０分の接触時間で、少なくとも５０％の殺菌率をもたらす、請求項７に記載の使用。
【請求項９】
前記洗濯洗剤組成物が、６０ｐｐｍ超の遊離ＬＡＳモノマー濃度を送達することができ、前記洗濯洗剤組成物が、ＱＢ／Ｔ  ２７３８−２００５法によって判定されるように、温度が３５℃を超える２０６９ｐｐｍ水溶液中で、黄色ブドウ球菌に対し、２０分の接触時間で、少なくとも５０％の殺菌率をもたらす、請求項８に記載の使用。
【請求項１０】
前記洗濯洗剤組成物が、６７ｐｐｍ超の遊離ＬＡＳモノマー濃度を送達することができ、前記洗濯洗剤組成物が、ＱＢ／Ｔ  ２７３８−２００５法によって判定されるように、２０６９ｐｐｍ水溶液中で、黄色ブドウ球菌に対し、２０分の接触時間で、少なくとも５０％の殺菌率をもたらす、請求項８に記載の使用。
【請求項１１】
容器内に収容された、洗濯洗剤組成物を含む洗濯洗剤製品であって、
前記洗濯洗剤組成物が、前記組成物の、少なくとも２．９重量％、好ましくは３．２重量％〜３０重量％、より好ましくは４．３重量％〜２０重量％のＬＡＳを含み、前記洗濯洗剤組成物が、洗濯洗浄液中で、６０ｐｐｍ超、好ましくは６７ｐｐｍ〜５００ｐｐｍ、より好ましくは８８ｐｐｍ〜３００ｐｐｍの遊離ＬＡＳモノマー濃度を送達することができ、
前記容器が、前記洗濯洗剤組成物の前記抗菌効果を使用者に説明する説明書を含む、洗濯洗剤製品。
【請求項１２】
前記洗濯洗剤組成物が、補助界面活性剤を実質的に含まない、請求項１１に記載の洗濯洗剤製品。
【請求項１３】
前記洗濯洗剤組成物が、前記組成物の、０．００１重量％〜２５．４重量％、好ましくは０．００１重量％〜１３．５重量％の非イオン性界面活性剤を更に含む、請求項１１に記載の洗濯洗剤製品。
【請求項１４】
前記洗濯洗剤組成物が、前記組成物の、０．００１重量％〜５３．６重量％、好ましくは０．００１重量％〜２５．５重量％のＡＥＳを更に含む、請求項１１に記載の洗濯洗剤製品。
【請求項１５】
前記洗濯洗剤組成物が、抗菌剤を実質的に含まない、請求項１１に記載の洗濯洗剤製品。
【請求項１６】
前記洗濯洗剤組成物が、液体洗濯洗剤組成物であり、前記容器が、投与用キャップを備えるボトルであり、前記投与用キャップが、６０ｇ〜１２０ｇの容量を保持するように構成されており、前記容器が、前記投与用キャップで、５ｇ〜６０ｇの前記洗濯洗剤組成物を手洗い器の中へ、又は６０ｇ〜１２０ｇの前記洗濯洗剤組成物を洗濯機の中へ投与するよう、使用者に説明する説明書を更に含む、請求項１１に記載の洗濯洗剤製品。
【請求項１７】
前記容器が、前記洗濯洗剤組成物を手洗いに使用するための、使用者に説明する説明書を更に含む、請求項１６に記載の洗濯洗剤製品。
【請求項１８】
前記容器が、グラム陽性菌に対する前記洗濯洗剤組成物の前記抗菌効果を使用者に説明する説明書を含む、請求項１１に記載の洗濯洗剤製品。
【請求項１９】
布地を抗菌効果で処理するための、請求項１１〜１８のいずれか一項に記載の洗濯洗剤製品の使用方法であって、５ｇ〜１２０ｇの前記洗濯洗剤組成物を、水を含む洗濯洗浄器の中へ投入して水溶液を形成する工程を含み、前記水溶液の遊離ＬＡＳモノマー濃度が、６０ｐｐｍ超、好ましくは６７ｐｐｍ〜５００ｐｐｍ、より好ましくは８８ｐｐｍ〜３００ｐｐｍである、方法。
【請求項２０】
布地を前記水溶液に接触させる工程を更に含み、前記布地が、抗菌処理を必要としている、請求項１９に記載の方法。
【発明の詳細な説明】
【技術分野】
【０００１】
本発明は、抗菌効果をもたらす洗濯洗剤組成物の使用に関する。本発明は、容器内に収容された洗濯洗剤組成物を含む洗濯洗剤製品、及び布地を抗菌効果で処理するための洗濯洗剤製品の使用方法にも関する。
【背景技術】
【０００２】
消費者製品は、それらの元々意図された機能に加え、抗菌効果に対する使用者のニーズに対処するために発展してきた。例えば、抗菌洗濯洗剤製品は、布地に対して抗菌効果を有する一方、布地を洗浄するため、使用者から所望されている。現在、抗菌効果を送達する通常の手法は、抗菌剤を消費者製品の処方に組み込むことである。このような抗菌剤は、細菌エンベロープを破壊して殺菌する、又は細菌エンベロープを変性させて細菌の増殖若しくは繁殖を防ぐことにより、抗菌効果を送達する。
【０００３】
しかし、抗菌剤を消費者製品に組み込むことにより、いくつかの課題を呈することになる。第１に、消費者製品の処方設計について、いくつかの抗菌剤は、同じ処方に組み込まれる他の成分（例えば、香油）と相溶性がなく、他の成分に反応し、安定性の問題を生じさせる。また、抗菌剤を含む多くの消費者製品は、抗菌効果をもたらすために使用される化学物質の性質のため、肌に対して負担となるか、又は刺激性がある。
【発明の概要】
【発明が解決しようとする課題】
【０００４】
よって、抗菌剤を組み込む必要のない抗菌効果をもたらす洗濯洗剤製品が求められている。
【０００５】
肌に優しい抗菌洗濯洗剤製品を提供することが、本発明の利点である。
【０００６】
安定した抗菌洗濯洗剤製品を提供することが、本発明の更なる利点である。
【課題を解決するための手段】
【０００７】
一態様において、本発明は、抗菌効果をもたらす洗濯洗剤組成物の使用であって、この洗濯洗剤組成物は、組成物の、少なくとも２．９重量％、好ましくは３．２重量％〜３０重量％、より好ましくは４．３重量％〜２０重量％のＬＡＳを含み、この洗濯洗剤組成物が、洗濯洗浄液中で、６０ｐｐｍ超、好ましくは６７ｐｐｍ〜５００ｐｐｍ、より好ましくは８８ｐｐｍ〜３００ｐｐｍの遊離ＬＡＳモノマー濃度を送達することができる、洗濯洗剤組成物の使用を対象としている。
【０００８】
他の態様において、本発明は、容器に収容された洗濯洗剤組成物を含む洗濯洗剤製品であって、この洗濯洗剤組成物が、組成物の、少なくとも２．９重量％、好ましくは３．２重量％〜３０重量％、より好ましくは４．３重量％〜２０重量％の直鎖アルキルベンゼンスルホン酸塩（ＬＡＳ）を含み、この洗濯洗剤組成物が、洗濯洗浄液中で、６０ｐｐｍ超、好ましくは６７ｐｐｍ〜５００ｐｐｍ、より好ましくは８８ｐｐｍ〜３００ｐｐｍの遊離ＬＡＳモノマー濃度を送達することができ、容器が、洗濯洗剤組成物の抗菌効果を使用者に説明する説明書を含む、洗濯洗剤製品を対象としている。
【０００９】
更に他の態様において、本発明は、布地を抗菌効果で処理するための洗濯洗剤製品の使用方法を対象としており、この方法は、５ｇ〜１２０ｇの洗濯洗剤組成物を、水を含む洗濯洗浄器の中へ投入して水溶液を形成する工程を含み、水溶液の遊離ＬＡＳモノマー濃度が、６０ｐｐｍ超、好ましくは６７ｐｐｍ〜５００ｐｐｍ、より好ましくは８８ｐｐｍ〜３００ｐｐｍである。
【発明を実施するための形態】
【００１０】
用語の定義
本明細書で使用する場合、「洗濯洗剤製品」という用語は、布地の洗浄に関する製品を意味する。
【００１１】
本明細書で使用する場合、「抗菌剤」という用語は、成分の意図された機能が、殺菌する、又は菌の増殖若しくは繁殖を防ぐことである化学化合物を指す。抗菌剤としての成分の意図された機能を有していないが、抗菌効果を付与する場合もあるこれらの化学化合物は、本発明の抗菌剤と見なされない。例えば、洗濯洗剤組成物中のＬＡＳは、抗菌剤と見なされないが、その理由は、ＬＡＳは、（本発明で例示されるように）一定の状況において抗菌効果を付与する場合があるが、ＬＡＳの成分の意図された機能が洗浄界面活性剤であるためである。
【００１２】
本明細書で使用する場合、「遊離ＬＡＳモノマー」という用語は、ミセルを形成するために凝集しない直鎖アルキルベンゼンスルホン酸塩（ＬＡＳ）モノマーを指す。ＬＡＳは、その水中濃度が、その臨界ミセル濃度（ＣＭＣ）に達する、又は超えると、ミセルの形成を開始することが知られている。よって、洗濯洗浄液中で、ＬＡＳは、通常、ミセルを形成するもの、及び残留遊離ＬＡＳモノマーを含む。従来技術において既知のいずれの方法であっても、水溶液中の遊離ＬＡＳモノマー濃度を、計算する、又は測定することができる。遊離ＬＡＳモノマー濃度は、本明細書において後述する遊離ＬＡＳモノマーの計算方法によって計算することが好ましい。
【００１３】
本明細書で使用する場合、「洗濯洗浄液」という用語は、洗濯洗浄の１サイクルに使用される通常量の水溶液を指し、好ましくは１Ｌ〜５０Ｌであり、手洗いで１Ｌ〜２０Ｌ、洗濯機による洗浄で２０Ｌ〜５０Ｌのいずれかである。
【００１４】
本明細書で使用する場合、「補助界面活性剤」という用語は、ＬＡＳに加えて本発明の洗濯洗剤組成物中に共に存在する界面活性剤を指す。一実施形態において、補助界面活性剤は、ＬＡＳ（例えば、硫酸化脂肪酸アルコールエトキシレート（ＡＥＳ））を除くアニオン性界面活性剤、カチオン性界面活性剤、非イオン性界面活性剤、双極性界面活性剤、及びこれらの組み合わせからなる群から選択される。界面活性剤系は、ＬＡＳと補助界面活性剤との組み合わせから形成される。
【００１５】
本明細書で使用する場合、組成物が、特定成分を「実質的に含まない」とき、組成物が、微量未満、あるいは、組成物の、０．１重量％未満、あるいは０．０１重量％未満、あるいは０．００１重量％未満の、特定成分を含むことを意味する。
【００１６】
本明細書で使用する場合、「ａ」及び「ａｎ」などの冠詞は、請求項で使用するときには、請求又は記載されるものの１つ又はそれ以上を意味するものと理解される。
【００１７】
本明細書で使用する場合、用語「含む（comprise、comprises、comprising）」、「包含する（include、includes、including）」、「含有する（contain、contains、containing）」は、非限定的である、すなわち、最終結果に影響を及ぼすことのない他の工程及び他の成分を加えることができることを意味する。上記用語には、「からなる」及び「から本質的になる」という用語が包含される。
【００１８】
洗濯洗剤組成物
本発明の洗濯洗剤組成物は、組成物の、少なくとも２．９重量％、好ましくは３．２重量％〜３０重量％、より好ましくは４．３重量％〜２０重量％のＬＡＳを含む。洗濯洗浄液中で、洗濯洗剤組成物は、６０ｐｐｍ超、好ましくは６７ｐｐｍ〜５００ｐｐｍ、より好ましくは８８ｐｐｍ〜３００ｐｐｍの遊離ＬＡＳモノマー濃度を送達することができる。
【００１９】
本発明において、出願人は、洗濯洗浄液中の遊離ＬＡＳモノマーの濃度が、抗菌効果を送達する鍵となることを意外にも発見した。遊離ＬＡＳモノマーの濃度が洗濯洗浄液中の特定濃度を超えている場合のみが、抗菌効果が達成される時である。具体的には、洗濯洗浄液中で、６０ｐｐｍ超の遊離ＬＡＳモノマーの濃度は、ＱＢ／Ｔ  ２７３８−２００５法に従って、少なくとも５０％の殺菌率をもたらす。一実施形態において、温度が３５℃を超える洗濯洗浄液中で、６０ｐｐｍ超の遊離ＬＡＳモノマーの濃度は、ＱＢ／Ｔ  ２７３８−２００５法に従って、少なくとも５０％の殺菌率をもたらす。代替の実施形態において、（例えば、２５℃の）洗濯洗浄液中で、６７ｐｐｍ超の遊離ＬＡＳモノマーの濃度は、ＱＢ／Ｔ  ２７３８−２００５法に従って、少なくとも５０％の殺菌率をもたらす。（例えば、２５℃の）洗濯洗浄液中で、８８ｐｐｍ超の遊離ＬＡＳモノマーの濃度は、ＱＢ／Ｔ  ２７３８−２００５法に従って、少なくとも９０％の殺菌率をもたらすことが好ましい。理論に束縛されるものではないが、洗濯洗浄液中で、十分な量の遊離ＬＡＳモノマー（つまり、洗濯洗浄液中の６０ｐｐｍ超、好ましくは６７ｐｐｍ超、より好ましくは８８ｐｐｍ超の遊離ＬＡＳモノマー）により、遊離ＬＡＳモノマーの少なくとも一部分が、細菌エンベロープを貫通して、この細菌エンベロープを破壊することにより、抗菌効果を達成することができると考えられている。更に、このような抗菌効果を有する洗濯洗剤組成物は、布地上に残留する細菌の量がより少ないことによって心地よい処理された布地を提供することで、使用者に喜ばれている。
【００２０】
本明細書中の洗濯洗剤組成物は、布地を洗うのに好適な任意の温度であってよく、洗濯洗浄液の温度は、５℃〜６０℃の範囲であることが好ましい。出願人は、洗濯洗浄液の温度が高いほど抗菌効果が助長されることによって、より低濃度の遊離ＬＡＳモノマーが同じ抗菌有効性を達成し得ることを発見した。例えば、ＱＢ／Ｔ  ２７３８−２００５法に従って、少なくとも５０％の殺菌率を達成するために、温度が２５℃である洗濯洗浄液中の遊離ＬＡＳモノマーの濃度は、６７ｐｐｍ超であることが求められる。それにもかかわらず、温度が３５℃を超える洗濯洗浄液中の６０ｐｐｍの遊離ＬＡＳモノマー濃度は、ＱＢ／Ｔ  ２７３８−２００５法に従って、５０％超の殺菌率をもたらす。
【００２１】
本明細書中の洗濯洗剤組成物は、グラム陽性菌（例えば、黄色ブドウ球菌）及びグラム陰性菌（例えば、大腸菌）の両方に対して抗菌効果をもたらす。洗濯洗剤組成物は、特に、グラム陽性菌に対して良好な抗菌有効性をもたらす。
【００２２】
洗濯洗浄液中の遊離ＬＡＳモノマーの濃度を判定し得る様々な要素がある。このような要素は、洗濯洗剤組成物のＣＭＣ、洗濯洗剤組成物中のＬＡＳの濃度、洗濯洗剤組成物中の補助界面活性剤の存在及びそれらの濃度、ＬＡＳ対補助界面活性剤の比率、洗濯洗剤組成物中の添加成分の存在、及び洗濯洗浄液に供給する水の条件（例えば、水の硬度）を含むが、これらに限定されない。これらの要素は、互いに影響する場合もある。よって、これらの要素を調節することにより、ＬＡＳと補助界面活性剤又は他の成分との広範な組み合わせは、この組み合わせが洗濯洗浄液中の６０ｐｐｍ超の遊離ＬＡＳモノマー濃度を送達するとすれば、本明細書において好適である。
【００２３】
一実施形態において、本明細書中の洗濯洗剤組成物は、ＬＡＳを含み、かつ補助界面活性剤を実質的に含まず、好ましくはＡＥＳ、非イオン性界面活性剤、カチオン性界面活性剤、及び双極性界面活性剤を実質的に含まない。好ましくは、洗濯洗剤組成物は、少なくとも２．９％のＬＡＳを含み、かつ洗濯洗浄液中で、６０ｐｐｍ超の遊離ＬＡＳモノマー濃度を送達する補助界面活性剤を実質的に含まない。より好ましくは、洗濯洗剤組成物は、少なくとも３．２％のＬＡＳを含み、かつ洗濯洗浄液中で、６７ｐｐｍ超の遊離ＬＡＳモノマー濃度を送達する補助界面活性剤を実質的に含まない。更により好ましくは、洗濯洗剤組成物は、少なくとも４．３％のＬＡＳを含み、かつ洗濯洗浄液中で、８８ｐｐｍ超の遊離ＬＡＳモノマー濃度を送達する補助界面活性剤を実質的に含まない。
【００２４】
代替の実施形態において、洗濯洗剤組成物は、ＬＡＳ（例えば、ＡＥＳ）を除くアニオン性界面活性剤、非イオン性界面活性剤、カチオン性界面活性剤、双極性界面活性剤、及びこれらの組み合わせからなる群から選択される補助界面活性剤を更に含む。理論に束縛されるものではないが、補助界面活性剤の導入により、洗濯洗剤組成物のＣＭＣは、かなり低くなり、界面活性剤は、より低い濃度でミセルの形成を開始する。その結果、残留遊離ＬＡＳモノマーの量が減少する。したがって、６０ｐｐｍ超の遊離ＬＡＳモノマー濃度を達成するために、このような界面活性剤系を有する洗濯洗剤組成物中のＬＡＳの濃度は、補助界面活性剤を含まない前述の洗濯洗剤組成物よりも、わずかに高くなくてはならない。
【００２５】
好ましい一実施形態において、洗濯洗剤組成物は、ＬＡＳと、ＡＥＳの補助界面活性剤との組み合わせを含む。好ましくは、ＡＥＳは、組成物の、０．００１重量％〜５３．６重量％、好ましくは０．００１重量％〜２５．５重量％の濃度で、存在する。例えば、洗濯洗浄液中で、３．９％の濃度のＬＡＳ及び５．０％の濃度のＡＥＳを有する洗濯洗剤組成物は、６０ｐｐｍの遊離ＬＡＳモノマーを送達し、４．６％の濃度のＬＡＳ及び５．０％の濃度のＡＥＳを有する洗濯洗剤組成物は、６７ｐｐｍの遊離ＬＡＳモノマーを送達し、２０．０％の濃度のＬＡＳ及び２５．５％の濃度のＡＥＳを有する洗濯洗剤組成物は、８８ｐｐｍの遊離ＬＡＳモノマーを送達し、２０．０％の濃度のＬＡＳ及び４４．５％の濃度のＡＥＳを有する洗濯洗剤組成物は、６７ｐｐｍの遊離ＬＡＳモノマーを送達する。洗濯洗剤組成物中の比較的低濃度のＡＥＳは、洗濯洗浄液中で、６０ｐｐｍ超の遊離ＬＡＳモノマー濃度を達成するのに要するＬＡＳの濃度がより低いために好ましい。
【００２６】
別の好ましい実施形態において、洗濯洗剤組成物は、ＬＡＳと、非イオン性界面活性剤の補助界面活性剤との組み合わせを含む。好ましくは、非イオン性界面活性剤は、組成物の、０．００１重量％〜２５．４重量％、好ましくは０．００１重量％〜１３．５重量％の濃度で、存在する。例えば、洗濯洗浄液中で、３．５％の濃度のＬＡＳ及び０．６％の濃度の非イオン性界面活性剤を有する洗濯洗剤組成物は、６０ｐｐｍの遊離ＬＡＳモノマーを送達し、４．０％の濃度のＬＡＳ及び０．６％の濃度の非イオン性界面活性剤を有する洗濯洗剤組成物は、６７ｐｐｍの遊離ＬＡＳモノマーを送達し、２０．０％の濃度のＬＡＳ及び１３．５％の濃度の非イオン性界面活性剤を有する洗濯洗剤組成物は、８８ｐｐｍの遊離ＬＡＳモノマーを送達し、２０．０％の濃度のＬＡＳ及び２１．７％の濃度の非イオン性界面活性剤を有する洗濯洗剤組成物は、６７ｐｐｍの遊離ＬＡＳモノマーを送達する。ＡＥＳと同様、洗濯洗剤組成物中の比較的低濃度の非イオン性界面活性剤は、洗濯洗浄液中で、６０ｐｐｍ超の遊離ＬＡＳモノマー濃度を達成するのに要するＬＡＳの濃度がより低いために好ましい。
【００２７】
更に別の好ましい実施形態において、洗濯洗剤組成物は、ＬＡＳと、ＡＥＳ及び非イオン性界面活性剤の補助界面活性剤との組み合わせを含む。好ましくは、非イオン性界面活性剤は、組成物の、０．００１重量％〜２５．４重量％、好ましくは０．００１重量％〜１３．５重量％の濃度で存在し、ＡＥＳは、組成物の、０．００１重量％〜５３．６重量％、好ましくは０．００１重量％〜２５．５％の濃度で存在し、洗濯洗剤組成物は、洗濯洗浄液中で、６７ｐｐｍ超の遊離ＬＡＳモノマー濃度を送達する。例えば、洗濯洗浄液中で、１１．５％の濃度のＬＡＳ、８．２％の濃度のＡＥＳ、及び０．２％の濃度の非イオン性界面活性剤を有する洗濯洗剤組成物は、９７ｐｐｍの遊離ＬＡＳモノマーを送達する。
【００２８】
本明細書中の洗濯洗剤組成物は、組成物に組み込まれる成分によって、酸性、又はアルカリ性、又はｐＨ中性であってもよい。洗濯洗剤組成物のｐＨ範囲は、５〜１１であることが好ましい。酸性又はアルカリ性の洗濯洗剤組成物は、ｐＨ中性の洗濯洗剤組成物よりも良好な抗菌有効性を達成することが知られている。よって、洗濯洗浄液中で、６０ｐｐｍ超の遊離ＬＡＳモノマー濃度を送達する、本発明の洗濯洗剤組成物は、酸性又はアルカリ性のいずれかの条件下で、中性ｐＨ条件下と比較して、更に良好な抗菌有効性を達成する。
【００２９】
洗濯洗剤組成物は、液体又は粒状の洗濯洗剤組成物であってもよく、液体洗濯洗剤組成物であることが好ましい。本明細書で使用する場合、「液体洗濯洗剤組成物」という用語は、注ぐことが可能な、液体、ゲル、クリーム、及びこれらの組み合わせからなる群から選択される形態である組成物を指す。液体洗濯洗剤組成物は、不均等、等方性、及びそれらの組み合わせであってもよい。
【００３０】
アニオン性界面活性剤
ＬＡＳは、本発明の洗濯洗剤組成物に必要なアニオン性界面活性剤である。本明細書中のＬＡＳは、当該技術分野において既知のいずれのＬＡＳの種別であってもよい。Ｃ１０〜Ｃ１６のＬＡＳが好ましい。ＬＡＳは、普通、アルキルベンゼンの（ＳＯ２又はＳＯ３を使用した）中和に続くスルホン化によって調製される。好適なアルキルベンゼン供給原料は、硫酸及びＨＦに基づくプロセスを含む任意の好適なアルキル化スキームを使用して、オレフィン、パラフィン、又はこれらの混合物から作製することができる。的確にアルキル化触媒を変えることにより、ベンゼンの脂肪族炭化水素鎖への共有結合の位置を広く変えることが可能である。したがって、本明細書中のＬＡＳは、２−フェニル異性体及び／又は内部異性体含有量において広く変えることができる。
【００３１】
ＬＡＳに加え、本明細書中の補助界面活性剤として有用なアニオン性界面活性剤の非限定例としては、Ｃ１０〜Ｃ２０の一級、分枝鎖及びランダムアルキルサルフェート類（ＡＳ）、Ｃ１０〜Ｃ１８の二級（２，３）アルキルサルフェート類、ＡＥＳ、好ましくはＣ１０〜Ｃ１８のアルキルアルコキシサルフェート類（ＡＥｘＳ）（式中、ｘは、好ましくは１〜３０、より好ましくは１〜３である）、好ましくは１〜５個のエトキシ単位を含むＣ１０〜Ｃ１８のアルキルアルコキシカルボキシレート類、米国特許第６，０２０，３０３号及び同第６，０６０，４４３号で記述されるような中鎖分枝状アルキルサルフェート類、米国特許第６，００８，１８１号及び同第６，０２０，３０３号で記述されるような中鎖分枝状アルキルアルコキシサルフェート類、国際公開第９９／０５２４３号、同第９９／０５２４２号、及び同第９９／０５２４４号で記述されるような変性アルキルベンゼンスルホン酸塩類（ＭＬＡＳ）、メチルエステルスルホネート（ＭＥＳ）、及びα−オレフィンスルホン酸塩（ＡＯＳ）が挙げられる。ＡＥＳは、補助界面活性剤として好ましいアニオン性界面活性剤である。
【００３２】
非イオン性界面活性剤
非イオン性界面活性剤の非限定例としては、Ｓｈｅｌｌから入手可能なＮｅｏｄｏｌ（登録商標）非イオン性界面活性剤などのＣ１２〜Ｃ１８アルキルエトキシレート、Ｃ６〜Ｃ１２アルキルフェノールアルコキシレート（アルコキシレート単位は、エチレンオキシ及びプロピレンオキシ単位の混合物）、ＢＡＳＦから入手可能なＰＬＵＲＯＮＩＣ（登録商標）などのエチレンオキシド／プロピレンオキシドブロックアルキルポリアミンエトキシレートを有するＣ１２〜Ｃ１８アルコール及びＣ６〜Ｃ１２アルキルフェノール縮合物、米国特許第６，１５０，３２２号で記述されるようなＣ１４〜Ｃ２２中鎖分枝状アルコール、ＢＡ、米国特許第６，１５３，５７７号、同第６，０２０，３０３号、及び同第６，０９３，８５６号で記述されるようなＣ１４〜Ｃ２２中鎖分枝状アルキルアルコキシレート、ＢＡＥｘ（ｘは、１〜３０）、Ｌｌｅｎａｄｏの１９８６年１月２６日発行の米国特許第４，５６５，６４７号で記述されるようなアルキル多糖類、特に米国特許第４，４８３，７８０号及び同第４，４８３，７７９号で記述されるようなアルキルポリグリコシド、米国特許第５，３３２，５２８号で記述されるようなポリヒドロキシ脂肪酸アミド、並びに米国特許第６，４８２，９９４号及び国際公開第０１／４２４０８号で記述されるようなエーテル末端保護ポリ（オキシアルキル化）アルコール界面活性剤が挙げられる。また、非イオン性界面活性剤として本明細書において有用であるものは、式Ｒ１Ｃ（Ｏ）Ｏ（Ｒ２Ｏ）ｎＲ３を有するものなどのアルコキシル化エステル界面活性剤である（式中、Ｒ１は、直鎖及び分枝状Ｃ６〜Ｃ２２アルキル又はアルキレン部分から選択され、Ｒ２は、Ｃ２Ｈ４及びＣ３Ｈ６部分から選択され、Ｒ３は、Ｈ、ＣＨ３、Ｃ２Ｈ５及びＣ３Ｈ７部分から選択され、ｎは、１〜２０の値を有する。このようなアルコキシル化エステル界面活性剤には、脂肪酸メチルエステルエトキシレート（ＭＥＥ）が含まれ、これらは、当該技術分野において周知である（例えば、米国特許第６，０７１，８７３号、同第６，３１９，８８７号、同第６，３８４，００９号、同第５，７５３，６０６号、国際公開第０１／１０３９１号、同第９６／２３０４９号を参照されたい）。補助界面活性剤として好ましい非イオン性界面活性剤は、７モルのエチレンオキシドによりエトキシル化したＣ１２〜Ｃ１１５アルコール（例えば、Ｓｈｅｌｌから入手可能なＮｅｏｄｏｌ（登録商標）２５−７）である。
【００３３】
カチオン性界面活性剤
カチオン性界面活性剤の非限定例としては、米国特許第６，１３６，７６９号で記述されるようなアルコキシレート四級アンモニウム（ＡＱＡ）界面活性剤、米国特許第６，００４，９２２号で記述されるようなジメチルヒドロキシエチル四級アンモニウム、ジメチルヒドロキシエチルラウリルアンモニウムクロリド、国際公開第９８／３５００２号、同第９８／３５００３号、同第９８／３５００４号、同第９８／３５００５号、及び同第９８／３５００６号で記述されるようなポリアミンカチオン性界面活性剤、米国特許第４，２２８，０４２号、同第４，２３９，６６０号、同第４，２６０，５２９号、及び同第６，０２２，８４４号で記述されるようなカチオン性エステル界面活性剤、並びに米国特許第６，２２１，８２５号及び国際公開第００／４７７０８号で記述されるようなアミノ界面活性剤、具体的にはアミドプロピルジメチルアミン（ＡＰＡ）を含む最大２６個の炭素原子を有し得る四級アンモニウム界面活性剤が挙げられる。
【００３４】
添加成分
本明細書中の洗濯洗剤組成物は、添加成分を含んでもよい。好適な添加物質としては、ビルダー、キレート剤、移染防止剤、分散剤、酵素及び酵素安定化剤、触媒材料、漂白活性化剤、過酸化水素、過酸化水素源、予備形成過酸、ポリマー分散剤、泥汚れ除去／再付着防止剤、増白剤、抑泡剤、染料、光漂白剤、香料、構造伸縮性付与剤、柔軟仕上げ剤、担体、ヒドロトロープ、加工助剤、溶剤、色調剤、構造化剤及び／又は顔料が挙げられるが、これらに限定されない。下記の開示に加えて、このような他の添加剤及び使用の濃度の好適な例は、米国特許第５，５７６，２８２号、同第６，３０６，８１２（Ｂ１）号、及び同第６，３２６，３４８（Ｂ１）号に見られ、これらは参照により組み込まれる。これらの添加成分の詳細な性質、及びこれらの添加成分の洗濯洗剤組成物中の濃度は、本組成物の物理的形態、及び本組成物が使用される洗浄作業の性質によって決まることになる。
【００３５】
本明細書中の洗濯洗剤組成物は、抗菌剤を含んでも含まなくてもよい。洗濯洗剤組成物は、抗菌剤を実質的に含まないことが好ましい。抗菌剤を組み込まなければ、洗濯洗剤組成物は、例えば、処方の安定性、皮膚の炎症など、抗菌剤が引き起こす問題を回避する。それにもかかわらず、例えば、特定の種類の細菌を殺菌する一定の状況において、抗菌剤を洗濯洗剤組成物に組み込み得ることは、理解かつ認識するべきである。
【００３６】
容器
本発明の洗濯洗剤製品は、洗濯洗剤組成物を収容する容器を含み、この容器が、洗濯洗剤組成物の抗菌効果を使用者に説明する説明書を含む。説明書の非限定例としては、抗菌洗剤、殺菌、除菌などが挙げられる。一実施形態において、容器は、グラム陽性菌に対する洗濯洗剤組成物の抗菌効果を使用者に説明する説明書を含む。
【００３７】
本明細書中の容器は、当該技術分野において既知の任意の好適なサイズであってよい。一実施形態において、容器は、２５０ｃｍ３〜１０，０００ｃｍ３、好ましくは５００ｃｍ３〜３，０００ｃｍ３の内部容量を有するように構成されている。
【００３８】
容器は、ガラス、金属、ポリマー他などの任意の好適な材料から作製してもよい。一実施形態において、容器は、ポリプロピレン（ＰＰ）、ポリエチレン（ＰＥ）、ポリカーボネート（ＰＣ）、ポリアミド（ＰＡ）、ポリエチレンテレフタレート（ＰＥＴ）、ポリ塩化ビニル（ＰＶＣ）、ポリスチレン（ＰＳ）、及びこれらの組み合わせからなる群から選択されるポリマー材料から作製される。
【００３９】
本明細書中の容器は、ボトル、箱、袋、及びパウチなど、当該技術分野において既知のいずれの形態であってもよい。一実施形態において、洗濯洗剤組成物は、液体洗濯洗剤組成物であり、容器は、ボトルである。好ましくは、容器は、投与用キャップ（dosing cap）を備えるボトルであって、投与用キャップが、３０ｇ〜１５０ｇ、好ましくは６０ｇ〜１２０ｇの容量を保持するように構成されている。
【００４０】
好ましくは、容器は、これから洗浄される布地又は表面の性質及び量、洗浄の種類、洗浄に使用する水の量他を含む要素により、好適な量の洗濯洗剤組成物を投与するよう、使用者に説明する説明書を更に含む。例えば、説明書は、５ｇ〜６０ｇの洗濯洗剤組成物を手洗い器（例えば、４Ｌ）に、又は６０ｇ〜１２０ｇの洗濯洗剤組成物を洗濯機（例えば、３０Ｌ）に投与するよう、使用者に説明する。投与用キャップを備えるボトルの製作において、説明書は、投与用キャップで、５ｇ〜６０ｇの洗濯洗剤組成物を手洗い器に、又は６０ｇ〜１２０ｇの洗濯洗剤組成物を洗濯機に投与するよう、使用者に説明している。
【００４１】
容器は、洗濯洗剤組成物を手洗いに使用するための、使用者に説明する説明書を更に含んでもよい。詳細には、洗濯洗剤組成物が抗菌剤を実質的に含まないとき、容器は、洗濯洗剤組成物を手洗いに使用するための、使用者に説明する説明書を含む。例えば、このような説明書は、肌に優しい、手に負担とならない等であろう。
【００４２】
容器は、一定時間、好ましくは１分間〜９０分間、より好ましくは３分間〜６０分間、更により好ましくは２０分間〜５０分間、あるいは少なくとも２０分間、布地を洗濯洗剤組成物で洗うよう、使用者に説明する説明書を更に含んでもよい。例えば、このような説明書は、より良い抗菌効果を送達するために布地を洗濯洗剤組成物で少なくとも２０分間洗ってください、であろう。
【００４３】
容器は、布地を洗濯洗剤組成物で、一定時間、好ましくは１分間〜１０分間、前処理するよう、使用者に説明する説明書を更に含んでもよい。
【００４４】
本明細書中の説明書を、容器の外側に面する側のいずれの部分（例えば、前部、後部、側部、キャップ）に施し、好ましくは印刷してもよい。一実施形態において、抗菌効果に関する説明書は、容器の前部に施され、投与量に関する説明書は、容器の後部に施される。
【００４５】
組成物の調製
本発明の洗濯洗剤組成物は、概して、洗濯洗剤組成物を作製する当該技術分野において既知の方法など、従来の方法で調製される。このような方法は、通常、加熱、冷却、真空の適用等を含み、あるいは含まずに、必須成分又は任意の成分を、任意の所望の順序で、比較的均一な状態に、混合することにより、必要な濃度の成分を含有する洗濯洗剤組成物を提供することを伴う。
【００４６】
使用
本発明の一態様は、抗菌効果をもたらす洗濯洗剤組成物の使用を対象とする。洗濯洗剤組成物は、組成物の、少なくとも２．９重量％、好ましくは３．２重量％〜３０重量％、より好ましくは４．３重量％〜２０重量％のＬＡＳを含み、この洗濯洗剤組成物が、洗濯洗浄液中で、６０ｐｐｍ超、好ましくは６７ｐｐｍ〜５００ｐｐｍ、より好ましくは８８ｐｐｍ〜３００ｐｐｍの遊離ＬＡＳモノマー濃度を送達することができる。
【００４７】
好ましくは、抗菌効果は、ＱＢ／Ｔ  ２７３８−２００５法によって判定される。より好ましくは、洗濯洗剤組成物は、ＱＢ／Ｔ  ２７３８−２００５法によって判定されるように、２０６９ｐｐｍ水溶液中で、黄色ブドウ球菌に対し、２０分の接触時間で、少なくとも５０％の殺菌率をもたらす。好ましい一実施形態において、洗濯洗剤組成物は、組成物の、少なくとも２．９重量％のＬＡＳを含み、洗濯洗浄液中で、６０ｐｐｍ超の遊離ＬＡＳモノマー濃度を送達することができ、ＱＢ／Ｔ  ２７３８−２００５法によって判定されるように、温度が３５℃を超える２０６９ｐｐｍ水溶液中で、黄色ブドウ球菌に対し、２０分の接触時間で、少なくとも５０％の殺菌率をもたらす。代替の実施形態において、洗濯洗剤組成物は、組成物の、３．２重量％〜３０重量％のＬＡＳを含み、洗濯洗浄液中で、６７ｐｐｍ〜３００ｐｐｍの遊離ＬＡＳモノマー濃度を送達することができ、かつＱＢ／Ｔ  ２７３８−２００５法によって判定されるように、２０６９ｐｐｍ水溶液中で、黄色ブドウ球菌に対し、２０分の接触時間で、少なくとも５０％の殺菌率をもたらす。より好ましい実施形態において、洗濯洗剤組成物は、組成物の、４．３重量％〜２０重量％のＬＡＳを含み、洗濯洗浄液中で、８８ｐｐｍ〜３００ｐｐｍの遊離ＬＡＳモノマー濃度を送達することができ、かつＱＢ／Ｔ  ２７３８−２００５法によって判定されるように、２０６９ｐｐｍ水溶液中で、黄色ブドウ球菌に対し、２０分の接触時間で、少なくとも９０％の殺菌率をもたらす。
【００４８】
使用方法
本発明の他の態様は、布地を抗菌効果で処理するための洗濯洗剤製品の使用方法を対象としている。方法は、５ｇ〜１２０ｇの洗濯洗剤組成物を、水を含む洗濯洗浄器の中へ投入して水溶液を形成する工程を含み、水溶液の遊離ＬＡＳモノマー濃度が、６０ｐｐｍ超、好ましくは６７ｐｐｍ〜５００ｐｐｍ、より好ましくは８８ｐｐｍ〜３００ｐｐｍである。本明細書中の洗濯洗浄器内の水溶液の体積は、洗濯洗浄液の体積と同じであり、好ましくは１Ｌ〜５０Ｌであり、手洗いで１Ｌ〜２０Ｌ、洗濯機による洗浄で２０Ｌ〜５０Ｌのいずれかである。本発明による洗濯洗剤組成物の必要投与量、つまり、５ｇ〜１２０ｇの洗濯洗剤組成物は、１Ｌ〜５０Ｌの洗濯洗浄液中で、６０ｐｐｍ超の遊離ＬＡＳモノマー濃度を送達することができる。本明細書中の抗菌効果は、ＱＢ／Ｔ  ２７３８−２００５法によって判定されることが好ましい。洗濯洗浄液の温度の範囲は、５℃〜６０℃であることが好ましい。
【００４９】
本明細書中の方法における投与量は、洗浄の種類によって異なっていてもよい。一実施形態において、方法は、５ｇ〜６０ｇの洗濯洗剤組成物を手洗い器（例えば、４Ｌ）に投入することを含む。代替の実施形態において、方法は、６０ｇ〜１２０ｇの洗濯洗剤組成物を洗濯機（例えば、３０Ｌ）に投入することを含む。
【００５０】
好ましくは、本明細書中の方法は、布地を水溶液に接触させる工程を更に含み、この布地が抗菌処理を必要としている。例えば、布地上に、グラム陽性菌及び／又はグラム陰性菌の存在が疑われる。布地を水溶液に接触させる工程は、洗濯洗剤組成物を洗濯洗浄器に投入する工程の後であることが好ましい。方法は、洗濯洗剤組成物を洗濯洗浄器に投入する工程、すなわち、布地を、洗濯洗剤組成物により、一定時間、好ましくは１分間〜１０分間、前処理する工程の前に、布地を洗濯洗剤組成物に接触させる工程を更に含んでもよい。
【００５１】
遊離ＬＡＳモノマーの計算方法
ＣＭＣ及びモノマー−ミセル組成物の計算モデルは、擬似相分離モデル（Pseudo-phase Separation Model）及び正則溶液理論に基づく。擬似相分離モデルは、「Ｎｏｎ−ｉｄｅａｌ  ｍｕｌｔｉｃｏｍｐｏｎｅｎｔ  ｍｉｘｅｄ  ｍｉｃｅｌｌｅ  ｍｏｄｅｌ」，Ｈｏｌｌａｎｄ，Ｐ．Ｍ．，Ｒｕｂｉｎｇｈ，Ｄ．Ｎ．，Ｊ．Ｐｈｙｓ．Ｃｈｅｍ．１９８３，８７（１１），１９８４〜１９９０に記載されている。正則溶液理論は、「Ｍｉｃｅｌｌｉｚａｔｉｏｎ  ｏｆ  ｍｉｘｅｄ  ｎｏｎｉｏｎｉｃ  ｓｕｒｆａｃｅ−ａｃｔｉｖｅ  ａｇｅｎｔｓ」，Ｃｌｉｎｔ  Ｊ．Ｈ．，Ｊ．Ｃｈｅｍ．Ｓｏｃ．，Ｆａｒａｄａｙ  Ｔｒａｎｓ．１  １９７５，７１，１３２７〜１３３４に記載されている。計算モデルへの入力は、界面活性剤処方の組成物、個別の界面活性剤のＣＭＣ、及び混合ミセル中の界面活性剤間の相互作用（すなわち、βパラメータ）である。
【００５２】
擬似相分離モデルは、界面活性剤混合物のＣＭＣを計算するために使用される。このモデルにおいて、ＣＭＣより上に、界面活性剤が、凝集ミセル相と非凝集モノマー相の２相になり、互いに平衡して存在すると推測される。この２相の近似に基づき、それぞれの相の中の所与の界面活性剤種の化学ポテンシャルを、以下のように計算できる。
モノマー相について、
【００５３】
【数１】
2016506428.tif 000002
ミセル相について、
【００５４】
【数２】
2016506428.tif 000003
【００５５】
また、純粋な界面活性剤溶液のＣＭＣにおける、かつＣＭＣより上の、純粋な界面活性剤溶液について、モノマー濃度は、ＣＭＣ濃度と同じに固定されている。溶液とミセルの化学ポテンシャルは等しいため、純粋系（pure system）について以下の関係が成立する。
【００５６】
【数３】
2016506428.tif 000004
【００５７】
平衡状態で、所与の種の化学ポテンシャルは、２相において等しく、すなわち、（１）＝（２）である。したがって、等式（１）、（２）、及び（３）を組み合わせることにより、以下の関係を得る。
【００５８】
【数４】
2016506428.tif 000005
【００５９】
混合物ＣＭＣについて、以下の関係が有効である。
【００６０】
【数５】
2016506428.tif 000006
【００６１】
等式（４）と（５）を組み合わせ、種を合計して混合物のＣＭＣを以下のように計算する。
【００６２】
【数６】
2016506428.tif 000007
【００６３】
等式（６）において活量係数γｉを計算するために、正則溶液理論を参照する。正則溶液理論から、単純活量係数モデルを、以下のように導き出す。
【００６４】
【数７】
2016506428.tif 000008
【００６５】
正則溶液理論により、複数種類の界面活性剤の間の特定相互作用は、単一相互作用パラメータ（single interaction parameter）によって粗いものの成功裏に捕捉されることが可能になる。実際の界面活性剤混合物において、βパラメータは、界面活性剤の間のマイナス表現相乗的相互作用（negative representing synergistic interactions）である場合が非常に多い。
【００６６】
「Ｓｕｒｆａｃｔａｎｔｓ  ａｎｄ  Ｉｎｔｅｒｆａｃｉａｌ  Ｐｈｅｎｏｍｅｎａ」，Ｒｏｓｅｎ，Ｍ．Ｊ．，Ｗｉｌｅｙ  Ｉｎｔｅｒｓｃｉｅｎｃｅ：Ｎｅｗ  Ｙｏｒｋ，１９８９，において、βパラメータは、表１にまとめたように、界面活性剤の種類に基づき、グループに分けられる。
【００６７】
【表１】
2016506428.tif 000009
【００６８】
非理想的混合物ＣＭＣを計算するために、等式（７）を以下の等式と組み合わせて、繰り返し解く。
【００６９】
種ｉ及びｊについての等式（４）を書き換える
【００７０】
【数８】
2016506428.tif 000010
【００７１】
等式（８）中の種ｊを合計する。
【００７２】
【数９】
2016506428.tif 000011
【００７３】
次いで、活量係数の推定値から始めて、等式（７）、（８）、（９）を、繰り返し解く。具体的に、反復法に関わる工程は、以下を含む。
１）最初に、活量係数を推定する。１つの選択肢は、全ての活量係数が１である理想的なミセルを推測することにより開始することである。
２）１組の活量係数に基づき、（９）を解き、基準構成成分（reference component）ｘｉについて、ミセルモル分率の新たな推定値を計算する。（８）とともにｘｉを用いて、残りのミセル構成成分について新たな推定値を計算する。
３）（７）とともに、新たなミセル組成物を用いて、新たな活量係数を生成する。新旧の活量係数が収束した場合、自己無撞着解が得られる。そうでなければ、工程２に戻り、収束するまで繰り返し続ける。
【００７４】
非理想的ＣＭＣが一旦わかれば、次の工程は、モノマーとして、かつミセル中に存在するそれぞれの種の量を計算することである。ＣＭＣより下で、系は、完全にモノマーとして存在し、モノマー濃度は、バルク値と等しい。ＣＭＣより上で、以下の関係は、所与の種のミセルモル分率を基準種に関連付けるために必要である。
【００７５】
【数１０】
2016506428.tif 000012
【００７６】
以下の関係は、モル分率合計を１に制約することに基づく。
【００７７】
【数１１】
2016506428.tif 000013
【００７８】
（１０）を（１１）に代入することで、活量係数の推定値に基づく基準モル分率ｘｉを求める式を得る。したがって、（１０）〜（１１）が（８）〜（９）に取って代わる点を除いて、非理想的ＣＭＣに使用されるのと同じ解答工程を使用することができる。ミセルモル分率及び活量係数が、一旦、自己無撞着で決定されると、モノマー濃度を得るために（４）が使用される。
【００７９】
上記の等式（１）〜（１１）において：
【００８０】
【表２】
2016506428.tif 000014
【００８１】
したがって、界面活性剤混合物又はＬＡＳを含む水溶液について、遊離ＬＡＳモノマーの濃度は、上記のように計算することができ、種ｉは、ＬＡＳを表し、種ｊ及びｋは、１つ又はそれ以上の補助界面活性剤を表す。
【００８２】
試験方法
洗濯洗剤組成物に対する抗菌有効性は、ＱＢ／Ｔ  ２７３８−２００５法で定義されるように、洗濯機の模擬実験の方法で判定される。
【００８３】
１．微生物の調製
Ａ．一定量の栄養培地を黄色ブドウ球菌の凍結乾燥された培養物に無菌で加える。栄養培地中の培養物を溶解、かつ懸濁させて、懸濁液を得る。懸濁液の一部を５．０ｍＬ〜１０．０ｍＬの栄養培地を収容する管の中に付けて、３７℃で１８時間〜２４時間培養して、細菌懸濁液の第１世代の継代培養を得る。細菌懸濁液の第１世代の継代培養のループを栄養寒天プレート上で筋状にして、３７℃で１８時間〜２４時間培養して、細菌懸濁液の第２世代の継代培養を得る。細菌懸濁液の第２世代の継代培養のコロニーを栄養寒天斜面上に植菌して、３７℃で１８時間〜２４時間培養して、細菌懸濁液の第３世代の継代培養を得る。
【００８４】
Ｂ．３．０ｍＬ〜５．０ｍＬの希釈液を用いて、栄養寒天斜面上の細菌懸濁液の第３世代継代培養から第１４世代継代培養のコロニーをパージする。パージ液を別の無菌管内に移し、２０分間撹拌して混合する、又は８０分間手で振り、予備的な作業用培養物（preliminary working culture）を得る。
【００８５】
Ｃ．分光光度計により、予備的な作業用培養物の細菌濃度を必要な細菌濃度に調節して、作業用培養物を得る。
【００８６】
Ｄ．作業用培養物を４℃で保管する。作業用培養物は、一晩保管できない。
【００８７】
２．アッセイプロトコル
Ａ．３Ｌの洗浄溶液中で１時間、３００ｇの試験用布地（３２ヤーン／ｃｍ×３２ヤーン／ｃｍ、平織の木綿）を煮沸する。洗浄溶液は、１．５ｇの非イオン性浸漬剤、１．５ｇの炭酸ナトリウム、及び３０００ｍＬの蒸留水により調製する。非イオン性浸漬剤は、５．０ｇのアルキルフェノールエトキシレート、５ｇの炭酸ナトリウム、及び１０００ｍＬの蒸留水により調製する。試験用布地を沸騰した脱イオン水で５分間すすぐ。試験用布地を冷たい脱イオン水の中に５分間入れて、室内で乾燥する。
【００８８】
Ｂ．処理した試験用布地を幅５ｃｍ、重さ１５±１ｇの細片に切る。試験用布地細片の一端を、ステンレス鋼スピンドルの水平延長部に沿った外側位置で、ステンレス鋼スピンドル上に固定する。ステンレス鋼スピンドルは、互いに接続した３つの水平スタンドを有する。試験用布地細片を、十分な張力で、ステンレス鋼スピンドルの３つの水平スタンドに巻き付けて、１２周巻いた布地を有する布地を巻き付けたスピンドルを得る。試験用布地細片のもう一端を、１２周巻いた布地の外側部分の上にピンで固定する。布地を巻いたスピンドルを、蒸気圧により１２１℃で１５分間消毒する。
【００８９】
Ｃ．リン酸塩緩衝溶液（ＰＢＳ）を用いて、工程１Ｄから得られた作業用培養物を希釈し、１×１０４ｃｆｕ／ｍＬ〜９×１０４ｃｆｕ／ｍＬの濃度を達成する。同量のウシ血清アルブミン溶液（ＢＳＡ）を加えて、細菌懸濁液を得る。ＰＢＳは、２．８３ｇの無水リン酸一水素二ナトリウム、及び１．３６ｇのリン酸二水素カリウムを、１０００ｍＬの蒸留水に、完全に溶解して溶液のｐＨを７．２〜７．４に調節するまで、溶解させ、次いで溶液を、２０分間、１２１℃で、蒸気圧によって消毒することにより調製される。ＢＳＡは、３．０ｇのウシ血清アルブミンを１００ｍＬの蒸留水に溶解させ、溶液を孔径０．４５μｍのミクロ孔質膜で濾過し、冷蔵庫に保管することにより調製される。
【００９０】
Ｄ．それぞれの布地担体の幅が２．５ｃｍ〜３．８ｃｍである３つの布地担体を作製する。布地担体を、本明細書中、上記工程２Ａで記載されているような、試験用布地を処理するのと同じ方法で処理する。それぞれの布地担体に、工程２Ｃから得られた２０μＬの細菌懸濁液で植菌する。植菌した布地担体をカバー付きのペトリ皿に置く。植菌した布地担体を、培養器において、（３５±２）℃で２０分間、乾燥する。
【００９１】
Ｅ．試験の２０分前、２６５ｍＬの標準硬水を収容する曝露室を水浴中に置いて、（２５±１）℃の試験温度を達成する。曝露室を、１５分間、１２１℃で、蒸気圧により消毒する。標準硬水は、０．０３４ｇの塩化カルシウム及び０．１３９ｇの塩化マグネシウム６水和物を、１０００ｍＬの蒸留水に溶解させ、次いで、溶液を、２０分間、１２１℃で、蒸気圧にて消毒することにより調製する。十分な量の試料を曝露室に加えて、濃度が２０６９ｐｐｍである混合溶液を得る。
【００９２】
Ｆ．２つの植菌した布地担体を、１２周巻いた布地の６周目と７周目との間の位置に置き、３つ目の植菌した布地担体を、１２周巻いた布地の７周目と８周目との間の位置に置く。
【００９３】
Ｇ．スピンドルユニット（布地を巻いたスピンドル及び植菌した布地担体を含む）を曝露室の中に無菌で置き、曝露室を蓋で閉鎖する。
【００９４】
Ｈ．曝露室を振とう器の上に固定する。振とう器を２０分間回転させる。曝露室を振とう器から取り出す。
【００９５】
Ｉ．スピンドルユニットを、曝露室から無菌で取り出し、３つの植菌した布地担体を、布地が巻かれたスピンドルから取り除く。それぞれの布地担体を、３０ｍＬの中和剤を収容する別個の管の中に置き、１０秒間撹拌して混合し、１００回振り、ＰＢＳを用い１０回連続して希釈する。中和剤は、３７．８ｇの改変レシチンブイヨン基礎培地（letheen broth base modified）（Ｍｅｒｃｋから１１０４０５として入手可能）、３０ｇのＴｗｅｅｎ  ８０、２．３ｇのレシチン、５ｇのチオ硫酸ナトリウム、及び１０００ｍＬの蒸留水により調製する。Ｔｗｅｅｎ  ８０は、モノオレイン酸ポリオキシエチレン（２０）ソルビタンである。試料の適切な希釈液を複製物とともにＴＳＢの中に置いて（Plate appropriate dilution of the sample into TSB with duplicate）、ＴＳＢプレートを形成する（form a TSB plate）。
【００９６】
Ｊ．工程２Ｅにおいて、対照として、試料の代わりに、０．５％のＴｗｅｅｎ  ８０を含有するＰＢＳを用いる。
【００９７】
Ｋ．試料と対照のＴＳＢプレートを、（４８±４）時間、（３５±２）℃で、培養器において、逆に培養する。プレート内の生菌数カウント（Plate counting）。
【００９８】
Ｌ．３回繰り返して、平均結果を得る。
【００９９】
３．殺菌率の計算
殺菌率（％）＝（Ａ−Ｂ）／Ａ×１００％
式中、Ａ：対照群のカウント
Ｂ：試料群のカウント
【０１００】
５０％超の殺菌率は、許容可能な抗菌有効性を表し、９０％超は、良好な抗菌有効性を表し、９９％超は、優れた抗菌有効性を表す。そして、５０％未満の殺菌率は、許容できない不十分な抗菌有効性を示す。
【実施例】
【０１０１】
本明細書中の実施例は、本発明を例示することを意味するが、本発明の範囲を制限又は他の方法で定義するために使用するものではない。実施例１Ａ〜１Ｘ及び２Ａ〜２Ｄは、本発明に係る実施例であり、実施例３Ａ〜３Ｂは、比較例である。
【０１０２】
実施例１Ａ〜１Ｘ：洗濯洗剤組成物の処方
列挙された成分を列挙された割合（重量％）で含む、表２に示す液体形態の以下の組成物が作製される。上記の遊離ＬＡＳモノマーの計算方法により、２０６９ｐｐｍ水溶液中の遊離ＬＡＳモノマーを計算した濃度を、それぞれの組成物について列挙する。
【０１０３】
【表３】
2016506428.tif 000015
【０１０４】
【表４】
2016506428.tif 000016
【０１０５】
【表５】
2016506428.tif 000017
ａ  Ｎｅｏｄｏｌ（登録商標）２５−７は、Ｓｈｅｌｌから入手可能な、非イオン性界面活性剤としての７モルのエチレンオキシドによりエトキシル化したＣ１２〜Ｃ１１５アルコールである。
【０１０６】
実施例１Ａ〜１Ｘの組成物の調製
２５０ｒｐｍの剪断力を有するそれぞれの組成物について列挙された成分を、それぞれ、混合することにより、実施例１Ａ〜１Ｘの組成物を調製する。
【０１０７】
実施例２Ａ〜２Ｄ：洗濯洗剤組成物の処方
列挙された成分を列挙された割合（重量％）で含む、表３に示す液体形態の以下の組成物が作製される。上記の遊離ＬＡＳモノマーの計算方法により２０６９ｐｐｍ水溶液中の遊離ＬＡＳモノマーを計算した濃度を、それぞれの組成物について列挙する。
【０１０８】
【表６】
2016506428.tif 000018
ａ  Ｎｅｏｄｏｌ（登録商標）２５−７は、Ｓｈｅｌｌから入手可能な、非イオン性界面活性剤としての７モルのエチレンオキシドによりエトキシル化したＣ１２〜Ｃ１１５アルコールである。
ｂ  ジエチレントリアミンペンタアセテート
【０１０９】
実施例２Ａの組成物の調製
実施例２Ａの組成物は、以下の
ａ）ミキサ中で、２００ｒｐｍの剪断力をかけることにより、ＮａＯＨ、１，２プロパンジオール、及び水の組み合わせを混合する工程と、
ｂ）クエン酸、Ｎｅｏｄｏｌ（登録商標）２５−７、及びキレートを、工程ａ）で得られた組み合わせに順次加えて、２００ｒｐｍの剪断力をかけることにより混合し続ける工程と、
ｃ）混合剪断力を２５０ｒｐｍに高め、かつ工程ｂ）で得られた組み合わせの温度を４５℃未満に維持する工程と、
ｄ）２５０ｒｐｍの剪断力をかけることにより、工程ｃ）で得られた組み合わせをＬＡＳと混合する工程と、
ｅ）工程ｄ）で得られた組み合わせの温度が一旦３５℃未満になると、その組み合わせにＡＥＳを加え、その組み合わせが均質に混合されるまで、２５０ｒｐｍの剪断力をかけることにより混合する工程と、
ｆ）Ｃ１２〜Ｃ１８脂肪酸を、工程ｅ）で得られた組み合わせに加えて、５分間、２５０ｒｐｍの剪断力をかけることにより、混合し続ける工程と、
ｇ）香料及び染料を、工程ｆ）で得られた組み合わせに加えて、５分間、２５０ｒｐｍの剪断力をかけることにより、混合し続けることで、液体洗濯洗剤組成物を形成する工程と、によって調製され、
組成物中、それぞれの成分は、表３で実施例２Ａについて特定されたような量で存在する。
【０１１０】
実施例２Ｂの組成物の調製
実施例２Ｂの組成物は、それぞれの成分が、表３で実施例２Ｂについて特定されたような量で存在することを除いて、実施例２Ａの組成物を調製するのと同じ工程で調製される。
【０１１１】
実施例２Ｃの組成物の調製
実施例２Ｃの組成物は、以下の
ａ）ミキサ中で、２００ｒｐｍの剪断力をかけることにより、トリエタノールアミンと水との組み合わせを混合する工程と、
ｂ）Ｎｅｏｄｏｌ（登録商標）２５−７を、工程ａ）で得られた組み合わせに加えて、２００ｒｐｍの剪断力をかけることにより混合し続ける工程と、
ｃ）混合剪断力を２５０ｒｐｍに高め、かつ工程ｂ）で得られた組み合わせの温度を４５℃未満に維持する工程と、
ｄ）２５０ｒｐｍの剪断力をかけることにより、工程ｃ）で得られた組み合わせをＬＡＳと混合する工程と、
ｅ）工程ｄ）で得られた組み合わせの温度が一旦３５℃未満になると、その組み合わせにＡＥＳを加え、その組み合わせが均質に混合されるまで、２５０ｒｐｍの剪断力をかけることにより混合する工程と、
ｆ）香料及び染料を、工程ｅ）で得られた組み合わせに加えて、５分間、２５０ｒｐｍの剪断力をかけることにより、混合し続けることで、液体洗濯洗剤組成物を形成する工程と、によって調製され、
組成物中、それぞれの成分は、表３で実施例２Ｃについて特定されたような量で存在する。
【０１１２】
実施例２Ｄの組成物の調製
実施例２Ｄの組成物は、それぞれの成分が、表３で実施例２Ｄについて特定されたような量で存在することを除いて、実施例２Ａの組成物を調製するのと同じ工程で調製される。
【０１１３】
比較例３Ａ〜３Ｂ：洗濯洗剤組成物の比較処方
列挙された成分を列挙された割合（重量％）で含む、表４に示す液体形態の以下の比較組成物が作製される。上記の遊離ＬＡＳモノマーの計算方法により２０６９ｐｐｍ水溶液中の遊離ＬＡＳモノマーを計算した濃度を、それぞれの組成物について列挙する。
【０１１４】
【表７】
2016506428.tif 000019
ａ  Ｎｅｏｄｏｌ（登録商標）２５−７は、Ｓｈｅｌｌから入手可能な、非イオン性界面活性剤としての７モルのエチレンオキシドによりエトキシル化したＣ１２〜Ｃ１１５アルコールである。
ｂ  ジエチレントリアミンペンタアセテート
【０１１５】
比較例３Ａの組成物の調製
比較例３Ａの組成物は、以下の
ａ）ミキサ中で、２００ｒｐｍの剪断力をかけることにより、ＮａＯＨ、１，２プロパンジオール、及び水の組み合わせを混合する工程と、
ｂ）クエン酸、Ｎｅｏｄｏｌ（登録商標）２５−７、及びキレートを、工程ａ）で得られた組み合わせに順次加えて、２００ｒｐｍの剪断力をかけることにより混合し続ける工程と、
ｃ）混合剪断力を２５０ｒｐｍに高め、かつ工程ｂ）で得られた組み合わせの温度を４５℃未満に維持する工程と、
ｄ）２５０ｒｐｍの剪断力をかけることにより、工程ｃ）で得られた組み合わせをＬＡＳと混合する工程と、
ｅ）工程ｄ）で得られた組み合わせの温度が一旦３５℃未満になると、その組み合わせにＡＥＳを加え、その組み合わせが均質に混合されるまで、２５０ｒｐｍの剪断力をかけることにより混合する工程と、
ｆ）Ｃ１２〜Ｃ１８脂肪酸を、工程ｅ）で得られた組み合わせに加えて、５分間、２５０ｒｐｍの剪断力をかけることにより、混合し続ける工程と、
ｇ）香料及び染料を、工程ｆ）で得られた組み合わせに加えて、５分間、２５０ｒｐｍの剪断力をかけることにより、混合し続けることで、液体洗濯洗剤組成物を形成する工程と、によって調製され、
組成物中、それぞれの成分は、表４で比較例３Ａについて特定されたような量で存在する。
【０１１６】
比較例３Ｂの組成物の調製
比較例３Ｂの組成物は、以下の
ａ）ミキサ中で、２００ｒｐｍの剪断力をかけることにより、ＮａＯＨ、１，２プロパンジオール、トリエタノールアミン、及び水の組み合わせを混合する工程と、
ｂ）クエン酸、及びＮｅｏｄｏｌ（登録商標）２５−７を、工程ａ）で得られた組み合わせに順次加えて、２００ｒｐｍの剪断力をかけることにより混合し続ける工程と、
ｃ）混合剪断力を２５０ｒｐｍに高め、かつ工程ｂ）で得られた組み合わせの温度を４５℃未満に維持する工程と、
ｄ）２５０ｒｐｍの剪断力をかけることにより、工程ｃ）で得られた組み合わせをＬＡＳと混合する工程と、
ｅ）工程ｄ）で得られた組み合わせの温度が一旦３５℃未満になると、その組み合わせにＡＥＳを加え、その組み合わせが均質に混合されるまで、２５０ｒｐｍの剪断力をかけることにより混合する工程と、
ｆ）Ｃ１２〜Ｃ１８脂肪酸を、工程ｅ）で得られた組み合わせに加えて、５分間、２５０ｒｐｍの剪断力をかけることにより、混合し続ける工程と、
ｇ）香料及び染料を、工程ｆ）で得られた組み合わせに加えて、５分間、２５０ｒｐｍの剪断力をかけることにより、混合し続けることで、液体洗濯洗剤組成物を形成する工程と、によって調製され、
組成物中、それぞれの成分は、表４で比較例３Ｂについて特定されたような量で存在する。
【０１１７】
実施例２及び３の比較データ
本明細書において上述したように、ＱＢ／Ｔ  ２７３８−２００５法に従って、実施例２Ａ〜２Ｃ及び比較例３Ａ〜３Ｂの組成物の抗菌有効性を測定する比較実験を行う。実験結果を表５に示す。
【０１１８】
【表８】
2016506428.tif 000020
【０１１９】
表５に示すように、本発明による洗濯洗剤組成物（実施例２Ａ、２Ｂ、及び２Ｃ）は、良好な抗菌有効性を実証し、一方、比較組成物（比較例３Ａ及び３Ｂ）は、不十分な抗菌有効性を示す。また、本発明による洗濯洗剤組成物について、抗菌有効性の程度は、遊離ＬＡＳモノマー濃度に相関しており、すなわち、洗濯洗浄液中の遊離ＬＡＳモノマーの濃度が高いほど、殺菌率が高くなる。
【０１２０】
変動する温度条件下の実施例２Ｄのデータ
本明細書において上述したように、ＱＢ／Ｔ  ２７３８−２００５法に従って、変動する温度条件下の２Ｄの組成物の抗菌有効性を測定する実験を行う。工程２Ｅ〜２Ｈにおける試験温度（すなわち、曝露室に収容された標準硬水の温度）は、それぞれ、（２５±１）℃、（３５±１）℃、及び（６０±１）℃に設定される。対照の試験温度は、対応する試料と同じである。実験結果を表６に示す。
【０１２１】
【表９】
2016506428.tif 000021
【０１２２】
表６に示すように、試験温度が高い（つまり、３５℃及び６０℃）ほど、洗濯洗浄液中のより低い濃度の遊離ＬＡＳモノマーが、許容可能な抗菌有効性を達成することができる。
【０１２３】
全ての百分率、比率、及び割合は、特に断らない限り、全組成物の重量を基準として計算されている。全ての温度は、特に断らない限り、摂氏温度（℃）である。特別の定めのない限り、測定は、全て２５℃で行われる。構成成分又は組成物の濃度は、全て、その構成成分又は組成物の活性レベルに関するものであり、市販の供給源に存在し得る不純物、例えば、残留溶媒又は副生成物は、除外される。
【０１２４】
本明細書全体を通じて記載されているあらゆる最大数値限定は、それよりも小さいあらゆる数値限定を、あたかもこうしたそれよりも小さい数値限定が本明細書に明確に記載されているかのように包含すると理解すべきである。本明細書全体を通じて記載されているあらゆる最小数値限定は、それよりも大きいあらゆる数値限定を、あたかもこうしたそれよりも大きい数値限定が本明細書に明確に記載されているかのように包含するものとする。本明細書全体を通じて記載されているあらゆる数値範囲は、そのようなより広い数値範囲内に入るそれよりも狭いあらゆる数値範囲を、あたかもそのようなより狭い数値範囲が全て本明細書に明確に記載されているかのように包含するものとする。
【０１２５】
本明細書に開示されている寸法及び値は、列挙した正確な数値に厳しく制限されるものとして理解すべきではない。それよりもむしろ、特に断らない限り、こうしたそれぞれの寸法は、列挙された値とその値周辺の機能的に同等の範囲との両方を意味することを意図している。例えば、「４０ｍｍ」として開示された寸法は、「約４０ｍｍ」を意味することを意図する。
【０１２６】
相互参照される又は関連するあらゆる特許又は出願書類を含め、本明細書において引用される全ての文献は、明示的に除外ないしは制限されない限り、その全体が参照により本明細書に組み込まれる。いずれの文献の引用も、こうした文献が本明細書中で開示又は請求されるいずれかの発明に対する先行技術であることを容認するものではなく、また、こうした文献が、単独で、あるいは他のあらゆる参照文献とのあらゆる組み合わせにおいて、こうした発明のいずれかを参照、教示、示唆、又は開示していることを容認するものでもない。更に、本文献において、用語のいずれかの意味又は定義が、参照により組み込まれた文献中の同じ用語のいずれかの意味又は定義と矛盾する限りにおいて、本文献中で用語に割り当てられる意味又は定義が適用されるものとする。
【０１２７】
以上、本発明の特定の実施形態を図示、説明したが、本発明の趣旨及び範囲から逸脱することなく他の様々な変更及び修正を行うことが可能である点は、当業者には自明であろう。したがって、本発明の範囲に含まれるそのような全ての変更、及び修正は、添付の特許請求の範囲で網羅することとする。
【国際調査報告】
2016506428.tif 000022
2016506428.tif 000023
2016506428.tif 000024